(57)【要約】      （修正有）【課題】食べ物の残余物で発生する水分を最小化し、衛生的に集荷処理することができる脱水袋を提供する。【解決手段】脱水袋３は、下端部に形成された複数の穿孔部３０と、内皮脱水部掛け２１及び内皮脱水部捕縛部を含む内皮脱水部２０と、ビニル袋本体掛け１１と、食べ物の残余物で重力によって集水された水分を外部に排出させる排水口１４を含むビニル袋本体１０とを含み、ビニル袋本体掛け１１の端部と内皮脱水部掛け２１の端部は接合しており、内被脱水部２０の長さはビニル袋本体の長さよりも相対的に短く形成され、ビニル袋本体の長さと内皮脱水部の長さの差によってビニル袋本体１０の下端部１３に集水空間ｄが形成される。【選択図】図４
0003216182.tif 000002
【実用新案登録請求の範囲】
【請求項１】
食べ物の残余物を集荷処理する脱水袋において、
下端部に形成された複数の穿孔部３０と、内皮脱水部掛け２１及び内皮脱水部捕縛部２２を含む内皮脱水部２０と、
ビニル袋本体掛け１１と、食べ物の残余物で重力によって集水された水分を外部に排出させる排水口１４を含むビニル袋本体１０と、
を含み、
前記ビニル袋本体掛け１１の端部と前記内皮脱水部掛け２１の端部は接合しており、
内皮脱水部２０の長さｈ２は、ビニル袋本体の長さｈ１よりも相対的に短く形成され、前記ビニル袋本体の長さｈ１と前記内皮脱水部の長さｈ２の差ｈ１−ｈ２によって前記ビニル袋本体の下端部１３に集水空間ｄが形成されることを特徴とする脱水袋。
【考案の詳細な説明】
【技術分野】
【０００１】
本考案は、食べ物の残余物を集荷する脱水袋に関し、特に、内皮脱水部を用いて食べ物の残余物から水分を脱水し、脱水されて出るくる水分をビニル袋本体に集水して排水することで、食べ物の残余物の水分を最小化し、衛生的に食べ物の残余物を集荷処理できる脱水袋に関する。
【背景技術】
【０００２】
一般的なビニル袋は、食べ物の残余物が集荷すれば多量の水分も共に混合して微生物の増殖による腐敗、浸出水により衛生的な集荷処理を期待することが難い。
【０００３】
したがって、食べ物の残余物の水分を最小化するために、網を用いて脱水しなければならないが、衛生的に拒否感のある残余物や台所の流し台で発生する残余物は使用後の洗浄が容易ではないため、網を使用せずそのままビニル袋に捨てられる。
【０００４】
ここで、上記のように食べ物の残余物の衛生的な集荷処理は困難になり、特に、前記した状況が大ところ台所で展開する場合により一層である。
【考案の概要】
【考案が解決しようとする課題】
【０００５】
本考案の目的は、前記従来技術の問題を解決するために案出されたものであり、内皮脱水部による食べ物の残余物の脱水と、脱水された水分をビニル袋本体に集水して排出することで、食べ物の残余物の水分を最小化し、衛生的に集荷処理できる脱水袋を提供することにある。
【課題を解決するための手段】
【０００６】
上記のような目的を達成するための本考案は、食べ物の残余物を集荷処理する脱水袋において、下端部に形成された複数の穿孔部３０と、内皮脱水部掛け２１及び内皮脱水部捕縛部２２を含む内皮脱水部２０と、ビニル袋本体掛け１１と、食べ物の残余物で重力によって集水された水分を外部に排出させる排水口１４を含むビニル袋本体１０とを含み、前記ビニル袋本体掛け１１の端部と前記内皮脱水部掛け２１の端部は接合しており、内皮脱水部２０の長さｈ２はビニル袋本体の長さｈ１よりも相対的に短く形成され、前記ビニル袋本体の長さｈ１と前記内皮脱水部の長さｈ２の差ｈ１−ｈ２によって前記ビニル袋本体の下端部１３に集水空間ｄが形成される脱水袋を提供することを特徴とする。
【考案の効果】
【０００７】
本考案の脱水袋は、内皮脱水部で脱水された水をビニル袋本体で集水して排水処理する過程において、食べ物の残余物の水分を最小化し、微生物の増殖による腐敗及び浸出水を抑制して衛生的な集荷処理を効果的に行うことができ、個別的な集荷処理のみならず、公共機関による集団的な集荷処理にも衛生的な効率性を期待することができる。
【図面の簡単な説明】
【０００８】
図１ないし図４は、本考案の一実施形態に係る脱水袋３を示す図であって、
【図１】脱水内皮脱水部とビニル袋本体とが互いに分離した状態で、内皮脱水部掛けとビニル袋本体掛けの端部が互いに接合している状態を正面で示す図である。
【図２】図１に示す状態を立体的に示す図である。
【図３】図１に示す状態を立体的に示す図である。
【図４】ビニル袋本体内に内皮脱水部を挿入させた後、据置台に脱水袋３をかけた状態の図である。
【図５】本考案の他の実施形態に係る脱水袋３−１を示す図である。
【考案を実施するための形態】
【０００９】
以下、添付する図面を参照しながら本考案の脱水袋について説明すれば、次の通りである。
【００１０】
本考案の一実施形態に係る脱水袋３は、図１ないし図４に示すように、ビニル袋本体１０と内皮脱水部２０から構成されている。
【００１１】
ビニル袋本体１０は、互いに対称に形成された２つのビニル袋本体掛け１１、ビニル袋本体捕縛部１２、排水口１４を含んでなる。
【００１２】
内皮脱水部２０は、複数の穿孔部３０、互いに対称に形成された２つの内皮脱水部掛け２１、及び内皮脱水部捕縛部２２を含む。
【００１３】
図１ないし図３を参照すると、前記ビニル袋本体掛け１１の端部と前記内皮脱水部掛け２１の端部が互いに接合しており、内皮脱水部の長さｈ２は、ビニル袋本体の長さｈ１よりも相対的に短く形成され、前記ビニル袋本体の長さｈ１と前記内皮脱水部の長さｈ２が重なることで発生した差ｈ１−ｈ２により、図４に示すように、ビニル袋本体１０の内部空間に内皮脱水部２０が挿入されるとき、ビニル袋本体の下端部１３に集水空間ｄが形成される。
【００１４】
脱水袋３を使用するとき、ユーザは、指で前記内皮脱水部２０を図３に示すＰの方向に押してビニル袋本体１０の中に内皮脱水部２０を挿入させる。図３に示すＰの方向に押すと、内皮脱水部２０は内と外がひっくり返してながらビニル袋本体１０の内部に挿入され、図４に示すような状態となる。
【００１５】
図４は、ビニル袋本体１０内に内皮脱水部２０を挿入させた後、据置台４５に脱水袋３をかけた状態を示すものである。ビニル袋本体１０の内部空間に内皮脱水部２０を挿入すれば、前記ビニル袋本体掛け１１と前記内皮脱水部掛け２１を重ねて、図４に示すように、パイプなどの据置台４５に左右を同時に又は片方のみをかけることができる。
【００１６】
ユーザは、図４に示すように、脱水袋３が据置台４５に据え置かれた状態で、食べ物の残余物を内皮脱水部２０に投下する。すると、重力によって食べ物の残余物に含まれた水分は前記ビニル袋本体の下端部１３の集水空間ｄに集水される。すると、ユーザは、内皮脱水部捕縛部２２を互いに縛ってからビニル袋本体１０を前記排水口１４の方向に傾けて集水空間ｄに集められた水分を排水させた後、脱水袋３を衛生的に捨てることができる。
【００１７】
図５は、本考案の他の実施形態に係る脱水袋３−１を示す図である。図５に示す脱水袋３−１は、ビニル袋本体掛け１１及び内皮脱水部掛け２１の形状のみが異なるだけであって、残りの構成要素は図１ないし図４に示す実施形態と同一でであり、同じ構成は同じ参照付与を付与する。
【００１８】
ビニル袋本体掛け１１及び内皮脱水部掛け２１にはそれぞれ掛け穴１１−１、２１−１が形成されている。図示していないが、上述した実施形態の脱水袋３と同様に、内皮脱水部２０をＰの方向に押してビニル袋本体１０の内部に挿入した後、脱水袋３−１を据置台にかけるときは、前記掛け穴１１−１、２１−１に同時に据置台を挟んで据え置きすることができる。
【００１９】
上記のように構成された本考案の脱水袋３、３−１は、食べ物の残余物の水分を最小化することで、食べ物の残余物に残っている水分による微生物の増殖、これによる腐敗及び浸出水が多量発生することを抑制でき、衛生的な集荷処理を行うことができるため、残余食物の個別的な集荷処理のみならず、公共機関による集団的な集荷処理においても衛生的な集荷及び処理を期待することができる。
【００２０】
本考案は、このように説明されたそのままの構成及び作用にのみ限定されるものではなく、実用新案登録請求の範囲に記載された技術的な思想の範疇を逸脱することなく、本考案に対して複数の変更及び修正が可能であることを当業者は理解できるものであるため、このような全ての適切な変更及び修正と均等物も本考案の範囲に属するものと見なされなければならない。
【符号の説明】
【００２１】
１０：ビニル袋本体
１１：ビニル袋本体掛け
１２：ビニル袋本体捕縛部
１３：ビニル袋本体の下端部
１４：排水口
２０：内皮脱水部
２１：内皮脱水部掛け
２２：内皮脱水部捕縛部
３０：穿孔部
ｈ１：ビニル袋本体の長さ
ｈ２：内皮脱水部の長さ
ｄ：集水空間
【図１】
0003216182.tif 000003
【図２】
0003216182.tif 000004
【図３】
0003216182.tif 000005
【図４】
0003216182.tif 000006
【図５】
0003216182.tif 000007